(57)【要約】【課題】簡単な構造で標示内容を変更することができる標示具、工事用看板、および標示具の標示方法を提供する。【解決手段】工事用看板１の上部に取り付けられる標示具１０であって、工事用看板１の看板本体２の上部に取り付けられ、看板本体２の幅方向に延びる道路標識回動軸３２を有する取付金具３０と、道路標識回動軸３２に回動できるように取り付けられる道路標識２０とを備えた。また、このような標示具１０を具備する工事用看板１である。さらに、標示具１０の標示方法であって、道路標識２０を上側に回動させたときに、看板本体２の標示部２ａを標示するとともに、道路標識２０の表面側を標示させ、下側に回動させたときに、看板本体２の標示部２ａを道路標識２０が覆うことで、看板本体２の標示部２ａおよび道路標識２０の表面側の標示のそれぞれを隠すようにした。【選択図】図５
2018028609.tif 000002
【特許請求の範囲】
【請求項１】
工事現場で使用される工事用看板の看板本体の上部に取り付けられる標示具であって、
前記看板本体の上部に取り付けられ、前記看板本体の幅方向に延びる道路標識回動軸を有する取付金具と、
前記道路標識回動軸を中心に上下に回動可能に取り付けられる道路標識と、
を備えたことを特徴とする標示具。
【請求項２】
前記道路標識回動軸を中心に上下に回動可能に取り付けられ、前記道路標識の左右両側に位置するようにＬＥＤが取り付けられるベース部材を備えたことを特徴とする請求項１に記載の標示具。
【請求項３】
前記道路標識および前記ベース部材が、前記道路標識回動軸に対してそれぞれ個々に回動可能に取り付けられていることを特徴とする請求項２に記載の標示具。
【請求項４】
前記道路標識回動軸は、前記取付金具を前記看板本体に取り付けた状態で、前記看板本体の標示部よりも手前側に位置する水平軸部を有し、この水平軸部に前記道路標識、或いは前記道路標識と前記ベース部材とを回動可能に取り付けたことを特徴とする請求項１から請求項３のいずれか１つに記載の標示具。
【請求項５】
前記道路標識の裏面側に表面側とは上下逆の文字や記号を記載して、前記道路標識を下側に回動させたときに標示させるようにしたことを特徴とする請求項１から請求項４のいずれか１つに記載の標示具。
【請求項６】
請求項１から請求項５のいずれか１つに記載の標示具を備えた工事用看板。
【請求項７】
工事現場で使用される工事用看板の看板本体の上部に取り付けられる標示具の標示方法であって、
前記看板本体の上部に取り付けられ、前記看板本体の幅方向に延びる道路標識回動軸を有する取付金具と、
前記道路標識回動軸を中心に上下に回動可能に取り付けられる道路標識と、
を備えた標示具が用いられ、
前記道路標識を上側に回動させたときに、前記看板本体の標示部を標示するとともに、前記道路標識の表面側を標示させ、
前記道路標識を下側に回動させたときに、前記看板本体の標示部を前記道路標識が覆うことで、前記看板本体の標示部および前記道路標識の表面側の標示のそれぞれを隠すようにしたことを特徴とする標示具の標示方法。
【請求項８】
前記道路標識の裏面側に文字や図形を記載して、前記道路標識を下側に回動させたときに、前記道路標識の裏面側の文字や図形を標示させることを特徴とする請求項７に記載の標示具の標示方法。
【発明の詳細な説明】
【技術分野】
【０００１】
本発明は、工事現場等で使用され、車両の運転者に対して注意を促すための標示具、工事用看板、およびこの標示具の標示方法に関する。
【背景技術】
【０００２】
従来、例えば道路工事現場では、走行中の車両や歩行者などに注意を促すために、その工事現場よりも手前の位置（例えば１００ｍ手前）に注意喚起用の工事用看板を設置している（例えば、特許文献１参照）。このような工事用看板は、主には「車両通行止」、「片側通行」、「徐行」などの文字を大きく標示することで注意を喚起している。
【０００３】
このような工事用看板としては、昼間と夜間、或いは、工事中と工事休止中の状態で、標示する文字を適宜変更することができるようにした標示体（表示装置）の発明がなされている（例えば、特許文献２、３参照）。これによれば、夜間或いは休止中で車両が通行できるにもかかわらず、「車両通行止」などの誤った標示をすることがなくなる。
【０００４】
一方、工事用看板の注意喚起力を高めるために、国土交通省などで定められている道路標識（警戒標識、規制標識など）を看板本体の上部に補助的に取り付けたものがある。この道路標識とは、丸形、ひし形、三角形などの外形状を有し、文字ではなく主に図柄で注意を示したものである。この道路標識は、看板本体に標示された文字と同一、或いは関連する注意内容を標示するものが使用される。運転者は、一般的によく知られている道路標識を見ることで、看板本体の標示文字を読む前に、感覚的に注意内容を認識することができる。このような道路標識が取り付けられた工事用看板は、主に中国・四国地方でよく使用されている。
【０００５】
また、看板本体の上部に、上述した道路標識の代わりにＬＥＤ等を用いた回転灯が取り付けられている工事用看板もある。この回転灯は、看板本体を目立たせることが目的であり、光で運転者等に工事用看板の存在を認識させて、看板本体の文字を確実に読ませるためのものである。このような回転灯は、主に東北地方でよく使用されている。
【０００６】
上述した道路標識または回転灯を看板本体の上部に取り付けることは、各地方の設置基準によってそれぞれ推奨されている事項ではあるが、条例等で特に義務化されているものではない。そのため、地方毎に統一されておらず、様々な工事用看板がその地方の慣例として使用されているのが現状である。
【先行技術文献】
【特許文献】
【０００７】
【特許文献１】特開２０１５−４０９９８号公報
【特許文献２】実用新案登録第３１２８６４９号公報
【特許文献３】特開２００４−１０９７１５号公報
【発明の概要】
【発明が解決しようとする課題】
【０００８】
道路標識を取り付けた工事用看板でも、特許文献２、３のように、昼間と夜間、或いは、工事中と休止中の状態で注意内容を変えることが好ましい。しかしながら、特許文献２、３の技術では、工事用看板の看板本体の標示を変更することはできても、上部に取り付けた道路標識の標示まで変更することはできない。また、特許文献２、３では、看板本体の標示を変更するためにロール状のシートを巻き取る構造体が必要になっており、複雑で高価なものになってしまう。
【０００９】
さらに、道路標識を取り付けた工事用看板は、上側の道路標識の分だけ表面積が大きくなり、風圧によって倒れるおそれがある。また、工事用看板全体の上下寸法も高くなってしまう。そのために、工事用看板が倒れないように本体部分を頑強な構造にする必要がある。また、道路標識を取り付けていない工事用看板と比較して、より強固な固定方法を施したりする必要があった。
【００１０】
本発明は、上述した事情を鑑みてなされたものであり、その目的は、簡単な構造で標示内容を変更することができる標示具、工事用看板、および標示具の標示方法を提供するためのものである。
【課題を解決するための手段】
【００１１】
上述課題を解決するため、本発明は、工事用看板の上部に取り付けられる標示具に関するものであり、前記工事用看板の看板本体の上部に取り付けられ、前記看板本体の幅方向に延びる道路標識回動軸を有する取付金具と、前記道路標識回動軸を中心に上下に回動可能に取り付けられる道路標識とを備えたことを特徴とする。
【００１２】
また、前記道路標識回動軸を中心に上下に回動可能に取り付けられ、前記道路標識の左右両側に位置するようにＬＥＤが取り付けられるベース部材を備えるようにしてもよい。
【００１３】
さらに、前記道路標識および前記ベース部材が、前記道路標識回動軸に対してそれぞれ個々に回動可能に取り付けられていてもよい。
【００１４】
また、前記道路標識回動軸は、前記取付金具を前記看板本体に取り付けた状態で、前記看板本体の標示部よりも手前側に位置する水平軸部を有し、この水平軸部に前記道路標識、或いは前記道路標識と前記ベース部材とを回動可能に取り付けている。
【００１５】
さらに、前記道路標識の裏面側に表面側とは上下逆の文字や記号を記載して、前記道路標識を下側に回動させたときに標示させるようにすることもできる。
【００１６】
一方、本発明に係る工事用看板は、これらの特徴の標示具を備えたものである。
【００１７】
さらに、本発明は、工事現場で使用される工事用看板の看板本体の上部に取り付けられる標示具の標示方法であって、前記看板本体の上部に取り付けられ、前記看板本体の幅方向に延びる道路標識回動軸を有する取付金具と、前記道路標識回動軸を中心に上下に回動可能に取り付けられる道路標識と、を備えた標示具が用いられ、前記道路標識を上側に回動させたときに、前記看板本体の標示部を標示するとともに、前記道路標識の表面側を標示させ、前記道路標識を下側に回動させたときに、前記看板本体の標示部を前記道路標識が覆うことで、前記看板本体の標示部および前記道路標識の表面側の標示のそれぞれを隠すようにしたことを特徴とする。
【００１８】
また、前記道路標識の裏面側に文字や図形を記載して、前記道路標識を下側に回動させたときに、前記道路標識の裏面側の文字や図形を標示させるようにしてもよい。
【発明の効果】
【００１９】
本発明に係る標示具および工事用看板では、工事用看板の看板本体の上部に取り付けられ、看板本体の幅方向に延びる道路標識回動軸を有する取付金具と、前記道路標識回動軸を中心に上下に回動可能に取り付けられる道路標識とを備えているので、工事中には道路標識を上側に回動させておくことで、看板本体の標示部の文字と道路標識の両方を運転者等に見せることができる。さらに、工事終了後には道路標識を下側に回動させておくことで、工事用看板が受ける風圧等を低減することができる。そのため、従来の工事用看板よりも構造強度を高める必要がなく、既設の看板本体にも後付けで取り付けて使用することができる。
【００２０】
また、道路標識と看板本体の標示部の文字との両方を隠すことができる。これにより、運転者や歩行者にはいずれの標示内容も伝達されなくなるので、通行できる状態であるにもかかわらず迂回路を通らせるなどの手間をかけさせることがなくなる。
さらにまた、道路標識を下側に回動させるという簡単な方法だけで標示を隠すことができるので、従来技術のように、看板本体の標示を変えるための複雑な構造を必要とせず、コストのかかる電気部品等も必要がない。そのため、安価に製品を提供することができる。
【００２１】
さらに、道路標識回動軸に取り付けられ、道路標識の左右両側に位置するようにＬＥＤが取り付けられるベース部材が設けられているので、道路標識とＬＥＤの２つの機能を備えた標示具を提供することができる。これにより、どの地域で使用したとしても工事用看板の従来の慣例を損なうことなく使用することができる。また。ＬＥＤの光によって、運転者の目線を工事用看板に向けさせることができる。これらの２つの機能を併せ持つことで、工事用看板の注意喚起力を一層高めることができる。
【図面の簡単な説明】
【００２２】
【図１】本発明の実施の形態に係る標示具が取り付けられた工事用看板を示す全体斜視図である。
【図２】図１の標示具のみを示す斜視図である。
【図３】図２を裏側から見た斜視図である。
【図４】図１の状態から道路標識を下側に回動させた状態を示す工事用看板の全体斜視図である。
【図５】図４の標示具のみを示す斜視図である。
【図６】図５を裏側から見た斜視図である。
【図７】標示具の正面図である。
【図８】図７の背面図である。
【図９】図７の左側面図である。
【図１０】図７の底面図である。
【図１１】標識ホルダーを単体で示す図であって、（Ａ）は正面図、（Ｂ）は右側面図、（Ｃ）は背面図である。
【図１２】取付金具を単体で示す図であって、（Ａ）は上側から見た平面図、（Ｂ）は正面図である。
【図１３】ベース部材を単体で示す図であって、（Ａ）は正面図、（Ｂ）は右側面図である。
【発明を実施するための最良の形態】
【００２３】
以下、工事現場等で使用される標示具１０およびこの標示具１０を備えた工事用看板１について、図面を用いて詳細に説明する。
図１は、本発明に係る標示具１０が取り付けられた工事用看板１を示す全体斜視図である。また、図２は、標示具１０を手前側の左斜め上から見た状態を示す斜視図、図３は、標示具１０を後側の右斜め上から見た状態を示す斜視図である。さらに、図４〜図6は、図１〜図３に対応する図であって、ぞれぞれの図における道路標識２０を下側に回動させた状態を示す斜視図である。
また、図７は、道路標識２０を上側に立てた状態における標示具１０の正面図、図８は図７の背面図、図９は図７の左側面図、図１０は図７の底面図である。
なお、以下の説明で使用する上下、左右、前後の方向は、工事用看板１の標示部２ａを正面から見た方向であって、図１〜図１０で示す方向をいうものとする。
【００２４】
工事用看板１（工事予告看板、お願い看板などともいう）は、図１および図４に示すように、看板本体２と、この看板本体２の上部に取り付けられる標示具１０とで構成されている。
【００２５】
看板本体２は、一般的にＳＬ看板（スコッチライト看板）と呼ばれており、この看板本体２単品で一般的な工事現場で広く使用されているものである。この看板本体２の幅寸法は概ね定められており、幅５５０ｍｍで形成されている。この看板本体２を現場に据え付ける方法としては、看板本体２の後側に設けた折りたたみ式の脚（図示せず）を前後にハの字状に開いて地面上に載置したり（例えば、特許文献１参照）、地面から上側に伸びるポール状の柱（例えば、電柱など）の側面に縛り付けて取り付けたりする。
【００２６】
看板本体２の標示部２ａには、注意を喚起するための種々の文字や図が記載されている。一般的に使用されている文字としては、例えば、「通行止」「徐行」「片側通行」「工事中」「立入禁止」などがある。この標示部２ａには薄い鋼板が用いられており、標示部２ａに磁石が磁力で吸い付けられるようになっている。この標示部２ａには、光を受けて反射する反射シート材が貼られているものもある。
【００２７】
また、看板本体２には、標示部２ａの外縁部に外枠２ｂが設けられており、この外枠２ｂによって看板本体２の強度が確保されている。この外枠２ｂは、一般的に流通している素材であって、アルミ製または鋼製の角パイプが用いられている。
【００２８】
標示具１０は、図２、３、５〜１０に示すように、道路標識２０と、取付金具３０と、ベース部材４０と、このベース部材４０に組み付けられるＬＥＤ５０とで構成されている。この標示具１０は、図１および図４に示すように、道路標識２０が上下に回動するようになっている。
【００２９】
道路標識２０は、国土交通省などで定められているものであり、運転者であればよく見かける標識である。この道路標識２０の裏面側には、道路標識２０を取付金具３０に取り付けるための標識ホルダー２１が取り付けられている。また、道路標識２０は、樹脂材料等で形成されており、軽量化が図られている。さらに、道路標識２０の一部分には、図示しないマグネットが埋め込まれており、道路標識２０を下側に回動させた状態で、道路標識２０が看板本体２の標示部２ａに磁力で固定されるようになっている。
【００３０】
図１１（Ａ）〜図１１（Ｃ）は標識ホルダー２１を単体で示すものであって、それぞれ正面図、右側面図、背面図を示している。
標識ホルダー２１は、図１１（Ａ）〜図１１（Ｃ）に示すように、樹脂製の成形品で製作されている。また、標識ホルダー２１は、例えば、薄手の鋼板を曲げ加工して製作したものでもよい。この標識ホルダー２１は、道路標識２０の裏面に取り付けられる取付部２１ａと、この取付部２１ａの下部に形成された回動保持部２１ｂとを備えている。
【００３１】
取付部２１ａは、平面状に形成されており、６つの取付穴２３が縁部に沿ってほぼ等間隔に設けられている。この取付穴２３には、図示しない固定ねじが挿通され、道路標識２０の裏面に固定される。
回動保持部２１ｂは、図１１（Ｂ）に示すように、側面から見て略円弧状に曲線状に曲げられており、弾性によってこの円弧状部分が広げられるようになっている。この回動保持部２１ｂの円弧状の半径は、詳細は後述する取付金具３０の水平軸部３２ｂの丸棒半径と略一致している。回動保持部２１ｂは、この水平軸部３２ｂに嵌め込まれる態様で取り付けられる。これにより、標識ホルダー２１は水平軸部３２ｂを中心に自由に上下に回動できるようになっている。
【００３２】
また、標識ホルダー２１には、正面から見て下側の部分（回動保持部２１ｂとの近傍）に穴部２２が設けられている。さらに、標識ホルダー２１の裏面には、後側に向かって伸びる取付片２４が設けられている。この取付片２４には、道路標識２０が上側に位置している状態で取付ボルト２５が挿通され、道路標識２０がベース部材４０に固定されて下側に回動しないようになっている。
【００３３】
図１２（Ａ）、図１２（Ｂ）は取付金具３０を単体で示すものであって、それぞれ平面図、正面図を示している。
取付金具３０は、図１２（Ｂ）に示すように、正面から見て、下側が開口するコ字形状に形成されている。より詳細には、この取付金具３０の左右には、上下方向に延びる取付脚３１がそれぞれ設けられており、これらの取付脚３１の上部を略水平に繋ぐ態様で道路標識回動軸３２が設けられている。
【００３４】
取付脚３１は、素材として断面がコ字形状のチャンネル材（溝形材）が用いられており、その開口が手前側に向くようにして組み立てられている。この取付脚３１は、看板本体２の外枠２ｂ（角パイプ）の内側に挿入される。また、取付脚３１は、標示部２ａを外枠２ｂに取り付けるためのねじ（標示部２ａ側から外枠２ｂに向けて取り付けられる）との干渉を避けるために、チャンネル材の開口が手前側に向くようにして組み立てられている。
【００３５】
道路標識回動軸３２は、素材として丸棒材（丸形材、パイプ材）が用いられている。道路標識回動軸３２の両端部には、取付脚３１の上端部が溶接等でそれぞれ取り付けられている。この道路標識回動軸３２は、図１２（Ａ）に示すように、平面視において、左右方向の中央部が取付脚３１よりも前側に位置するように緩やかに曲げられている。より詳細には、道路標識回動軸３２は、左右のそれぞれの取付脚３１から前側中央方向に斜めに延びる傾斜軸部３２ａと、この傾斜軸部３２ａの終端を水平に繋ぐ水平軸部３２ｂとで構成されている。
【００３６】
このように形成された道路標識回動軸３２では、取付金具３０を看板本体２に取り付けた状態において、水平軸部３２ｂが標示部２ａよりも手前側に位置するようになる。そのため、道路標識２０を上下に回動させる際に、道路標識２０と標示部２ａとが干渉することなくスムーズに回動させることができる。
【００３７】
この水平軸部３２ｂには、上述した標識ホルダー２１の回動保持部２１ｂが嵌め込まれる態様で取り付けられ、この水平軸部３２ｂを中心にして道路標識２０が上下に回動できるようになる。また、この水平軸部３２ｂには、詳細は後述するベース部材４０の取付回動部４５も取り付けられ、水平軸部３２ｂを中心にして回動できるようになる。
【００３８】
図１３（Ａ）、図１３（Ｂ）はベース部材４０を単体で示すものであって、それぞれ正面図、右側面図を示している。
ベース部材４０は、図１３（Ａ）および図１３（Ｂ）に示すように、樹脂材料を一体成形することにより形成されている。このベース部材４０は、左右方向に長尺に形成された本体部４１と、本体部４１の下部の左右に位置する取付回動部４５、４５とで構成されている。また、このベース部材４０は、左右方向において対称に形成されている。
【００３９】
本体部４１は、工事用看板１の上部に取り付けられるものであるから、工事用看板１の重心を低くするためにできるだけ軽いものが望ましい。そのため、本体部４１には、取付強度を確保できる範囲内で複数の肉盗み４１ａ、４１ｂが設けられている。
【００４０】
また、図１３（Ａ）に示すように、本体部４１の中央下部には、下側から上側に向けて大きく切り欠いた形状の溝４２が設けられている。この溝４２は、図７および図８に示すように、ベース部材４０と道路標識２０を取付金具３０の水平軸部３２ｂに取り付けた状態において、この溝４２の位置（本体部４１の中央下部の位置）で道路標識２０の回動保持部２１ｂが取り付けられるようになっている。
【００４１】
また、図１３（Ａ）に示すように、本体部４１の左右の両端部には、略三角形状のＬＥＤ取付部材６０（図３、図６、図８参照）を取り付けるためのＬＥＤ取付部４３がそれぞれ設けられている。このＬＥＤ取付部４３は、ＬＥＤ取付部材６０の外形状に対応する窪みであり、この窪みにＬＥＤ取付部材６０を嵌め込むことにより取付位置が決定するようになっている。また、ＬＥＤ取付部４３の溝内には、略三角形状の各頂点部分に取付穴４３ａがそれぞれ形成されている。ＬＥＤ取付部材６０は、この取付穴４３ａにねじ等を介して取り付けられるようになっている。
【００４２】
ＬＥＤ取付部材６０は、左側および右側で共通部品として使用できるように、左右対称に形成されている。また、ＬＥＤ取付部材６０を表と裏のどちら側からでも取り付けられるように工夫されている。なお、ＬＥＤ取付部材６０の形状は、三角形状に限定されるものではなく、他の形状（丸形、四角など）であってもかまわない。
【００４３】
また、本体部４１の左右の両端部には、詳細は後述するＬＥＤ５０の外形状と干渉しないように円弧状切欠き４４がそれぞれ形成されている。
【００４４】
取付回動部４５は、図１３（Ａ）に示すように、溝４２を挟んで左右にそれぞれ設けられている。この取付回動部４５には、図１３（Ｂ）に示すように、側面から見て円を約半分にした円弧状部４５ａが形成されている。この円弧状部４５ａは、後側の半分が切り取られたような形状になっている。円弧状部４５ａの半径は、取付金具３０の水平軸部３２ｂの半径と一致しており、この水平軸部３２ｂに嵌め込まれる態様で取り付けられる。これにより、ベース部材４０は水平軸部３２ｂを中心に自由に前後に回動できるようになっている。
【００４５】
また、図１３（Ａ）に示すように、取付回動部４５の上側であって、幅方向の中央部には、前側から後側まで貫通する手締めバンド取付穴４５ｂがそれぞれ形成されている。この手締めバンド取付穴４５ｂは、ベース部材４０が取付金具３０の水平軸部３２ｂに取り付けられた状態で、詳細は後述する手締めバンドが取り付けられる。
【００４６】
ＬＥＤ５０は、図２、図５、図７〜図９に示すように、道路標識２０を挟んで左右に１つずつ設けられている。２つのＬＥＤ５０は、上述したＬＥＤ取付部材６０を介してベース部材４０にそれぞれ取り付けられている。
【００４７】
２つのＬＥＤ５０は、できるだけ小型のものが使用されており、図７に示すように、三角形の道路標識２０の左右下側に位置する空間内に配置することで、看板本体２の幅方向よりも外側にはみ出さないようにしている。これにより、通行人等や車両がＬＥＤ５０に当たって破損するおそれを低くしている。また、ＬＥＤ５０の左右の光を見ることで、工事用看板１の幅方向の大きさが遠目にでも認識できるようになっている。
【００４８】
ＬＥＤ５０は、表面に複数のＬＥＤ素子が複数配置されたものであり、ＬＥＤ５０の内部には、これらのＬＥＤ素子の発光を制御するＩＣ（図示せず）が内蔵されている。この制御とは、例えば、各ＬＥＤ素子の発光のタイミング（全発光、左右交互に点滅発光、左から右へと光が流れるように移動して見えるようにする、など）を制御したり、電波時計の標準電波を受信して所定の時間帯（例えば、工事の時間帯のみ、工事終了後の夜間のみ、など）だけＬＥＤ素子を発光させたりするなどがある。
【００４９】
また、ＬＥＤ５０には、発電素子（図示せず）が内蔵されている。この発電素子としては、ソーラー発電用の素子が使用され、これによりＬＥＤ素子を発光させている。その他、例えば、振動、熱などによって発電する素子を利用してＬＥＤ素子を発光させることもできる。また、当然に、発電素子の代わりに蓄電池等を搭載することでＬＥＤ素子を発光させることもできる。
【００５０】
次に、標示具１０の組み立て方法について説明する。
ベース部材４０にＬＥＤ５０を取り付けるには、まず、ＬＥＤ取付部材６０をベース部材４０の左右にそれぞれ配置し、所定の位置でねじ止め固定する。そして、ＬＥＤ５０をそれぞれのＬＥＤ取付部材６０にねじ等で着脱可能に取り付ける。
【００５１】
ベース部材４０を取付金具３０に取り付けるには、ベース部材４０の左右の円弧状部４５ａ、４５ａを取付金具３０の水平軸部３２ｂに前側から宛がうようにして配置する。そして、左右の手締めバンド取付穴４５ｂに手締めバンド（図示せず）を用いて、水平軸部３２ｂを挟み込むようにして固定する。位置の調整や取付角度の調整等は、手締めバンドを緩めることによって行うことができる。なお、手締めバンドとは、例えば、水道ホースを蛇口部分に固定するためのホースバンドなどであり、弾性で水平軸部３２ｂを挟み込むことができるとともに、手動でこの挟み込む力を解除できるものである。
【００５２】
道路標識２０を取付金具３０に取り付けるには、道路標識２０に取り付けられた標識ホルダー２１の回動保持部２１ｂを取付金具３０の水平軸部３２ｂ（ベース部材４０の溝４２から表出している水平軸部３２ｂ）に前側から宛がうようにして配置する。そして、標識ホルダー２１の穴部２２を通して予め取り付けた手締めバンド（図示せず）を用いて、水平軸部３２ｂを手締めバンドで挟み込むようにして固定する。位置の調整や取付角度の調整等は、手締めバンドを緩めることによって行うことができる。
【００５３】
これにより、標示具１０には、取付金具３０、ベース部材４０、道路標識２０、ＬＥＤ５０が組み付けられ、図２、３、５、６〜１０で示すような標示部１０が一体に組み立てられる。
【００５４】
標示具１０の左右の取付脚３１は、看板本体２の角パイプで構成された左右の外枠２ｂに上側からそれぞれ挿入される。
【００５５】
このとき、看板本体２の後側に設けた折りたたみ式の脚（図示せず）をハの字状に開いて地面に置くタイプの工事用看板（例えば、特許文献１参照）では、看板本体の標示部２ａが地面に対して斜めに傾斜して置かれるようになる。しかしながら、ＬＥＤ５０からの光線は、地面とほぼ平行になるようにすることが好ましく、道路標識２０についても地面に対して略垂直に立てられている方が好ましい。そのため、標示具１０を看板本体２に取り付けた後に、道路標識２０およびベース部材４０が地面に対して略垂直になるように角度調整を行う。
【００５６】
また、これらの道路標識２０とベース部材４０とは、取付金具３０の水平軸部３２ｂに対して、それぞれ個々に独立して回動可能に取り付けられており、個々に角度調整を行うことができる。ベース部材４０の角度調整は、ベース部材４０の手締めバンド取付穴４５ｂに取り付けられた手締めバンドを緩め、ベース部材４０が地面に対して略垂直に起立した状態にした後に、手締めバンドを締めることにより行われる。一方、道路標識２０の角度調整についても、溝４２から見える標識ホルダー２１の手締めバンドを緩め、道路標識２０の裏面がベース部材４０の表面に当たる状態（道路標識２０が略垂直に起立した状態）にした後に、手締めバンドを締めることにより行われる。
【００５７】
これらの手順により、標示具１０が看板本体２に取り付けられ、図１、図４に示す工事用看板１が一体に組み立てられる。
なお、標示具１０は、看板本体２の上部に挿入して組み立てるだけなので、既設の工事現場で使用されている看板本体２にも後付けで取り付けることができる。
【００５８】
次に、標示具１０の作用、および標示方法について説明する。
道路標識２０は、工事中には看板本体２の上側に略垂直に立てた状態で使用される。このとき、道路標識２０は、手締めバンドの固定力と、標識ホルダー２１とベース部材４０とが取付ボルト２５を介して固定されているので、風等によって道路標識２０がばたついたり、下側に自重で回動するようなことがない。
【００５９】
これにより、看板本体２の文字と道路標識２０の図柄の２つによって、例えば「車両通行止」などの情報を運転者に伝達することができる。また、道路標識２０を見た運転者は、看板本体２に記載されている文字を読む前に、イメージで瞬時に現場の状況を把握することができるので、より安全性が向上する。また、運転者は、ＬＥＤ５０の光によって工事用看板１の存在を瞬時に認識するようになる。
【００６０】
一方、工事が終了した後には、道路標識２０を下側に約１８０度回動させておく。この作業は、上述した取付ボルト２５を取り外して、手締めバンドを緩めることにより容易に行うことができる。また、下側に回動させた道路標識２０は、道路標識２０に埋め込まれたマグネットの磁力によって金属製の標示部２ａに吸着されるので、風等によって道路標識２０がばたついたりすることがない。
【００６１】
これにより、看板本体２の標示部２ａの文字は下側に回動した道路標識２０で隠されるとともに、道路標識２０の表面側も隠されるようになる。そのため、例として上述した「車両通行止」などの情報が運転者に伝達されないようになる。また、道路標識２０を上側に立てたままの従来の工事用看板と比較して、風等の影響を受けにくくなるので、看板本体２の構造強度を高めるなどの工夫をする必要がない。
【００６２】
また、道路標識２０とベース部材４０とは、取付金具３０の水平軸部３２ｂに対して、それぞれ個々に回動可能に取り付けられているので、ＬＥＤ５０を看板本体２の上側に残したまま、道路標識２０のみを下側に回動させることができる。このように、道路標識２０とＬＥＤ５０を一緒に一体で回動させる構造ではなく、道路標識２０のみを下側に回動できるようにしたのは、ＬＥＤ５０のソーラー発電用の素子を常に上側に向けておくためである。また、道路標識２０の回動位置とは無関係に、このソーラー発電用の素子の向きを適宜微調整することもできる。
【００６３】
本発明の実施の形態に係る標示具１０および工事用看板１によれば、工事用看板１の看板本体２の上部に取り付けられ、看板本体２の幅方向に延びる道路標識回動軸３２を有する取付金具３０と、道路標識回動軸３２を中心に上下に回動可能に取り付けられる道路標識２０とを備えているので、工事中には道路標識２０を上側に回動させておくことで、看板本体２の標示部２ａの文字と道路標識２０の両方を運転者等に見せることができる。一方、工事終了後或いは工事が休止しているときには道路標識２０を下側に回動させておくことで、道路標識２０と看板本体２の標示部２ａの文字との両方を隠すことができる。これにより、運転者や歩行者が通行できる状態であるにもかかわらず迂回路を通らせるなどの手間をかけさせることがなくなる。
【００６４】
また、道路標識２０を下側に回動させるという簡単な方法だけで道路標識２０と標示部２ａの両方を隠すことができるので、従来技術のように、看板本体の標示を変えるための複雑な構造や機構を必要とせず、または、コストのかかる電気部品等も必要がない。そのため、安価に製品を提供することができる。
【００６５】
また、道路標識回動軸３２を中心に上下に回動可能に取り付けられ、道路標識２０の左右両側に位置するようにＬＥＤ５０が取り付けられるベース部材４０とを備えているので、道路標識２０とＬＥＤ５０の２つの機能を備えた標示具１０を提供することができる。これにより、どの地域で使用したとしても工事用看板の従来の慣例を損なうことなく使用することができる。また、ＬＥＤ５０の光によって、運転者の目線を工事用看板１に向けさせることができる。これらの機能を併せ持つことで、工事用看板１の注意喚起力を一層高めることができる。
【００６６】
さらに、道路標識２０およびベース部材４０が、道路標識回動軸３２に対してそれぞれ個々に回動可能に取り付けられているので、道路標識２０およびベース部材４０をそれぞれ個々に角度調整することができる。特に、道路標識２０を下側に回動させたとしても、ベース部材４０に取り付けられたＬＥＤ５０を看板本体２の上側に残しておくことができるので、ＬＥＤ５０のソーラー発電用素子を常に上側に向けておくことで発電効果の低下を防止することができる。
【００６７】
また、道路標識回動軸３２は、取付金具３０を看板本体２に取り付けた状態で、看板本体２の標示部２ａよりも手前側に位置する水平軸部３２ｂを有し、この水平軸部３２ｂに道路標識２０を回動できるように取り付けているので、道路標識２０を上下に回動させる際に、道路標識２０と標示部２ａ或いは看板本体２の上縁部とが干渉することなくスムーズに回動させることができる。
また、道路標識２０を下側に回動させたときに道路標識２０の表面が看板本体２の標示部２ａに面で接触できるようになる。そのため、道路標識２０に埋め込まれたマグネットが標示部２ａに面で吸着されるようになり、下側に回動した道路標識２０が風等によってばたついたりし難くなる。
【００６８】
さらに、ベース部材４０を道路標識回動軸３２に回動できるように取り付けているので、看板本体２が地面に対して斜めに傾斜して置かれたような場合であっても、道路標識回動軸３２を中心にしてベース部材４０を前後に回動させることで、ベース部材４０が地面に対して略垂直になるように取付角度を調整することができる。これにより、ＬＥＤ５０の光線が地面に対して略水平になるので、運転者等の目線に入りやすくなる。
【００６９】
一方、本発明の実施の形態に係る標示具１０の標示方法によれば、道路標識２０を上側に回動させたときに、看板本体２の標示部２ａを標示するとともに、道路標識２０の表面側を標示させ、道路標識２０を下側に回動させたときに、看板本体２の標示部２ａを道路標識２０が覆うことで、看板本体２の標示部２ａおよび道路標識２０の表面側の標示のそれぞれを隠すようにしているので、簡単な操作によってこれらの標示を隠すことができる。また、標示部２ａに標示した「車両通行止」などの文字や、道路標識２０の標示の情報が運転者に伝達されないようになるので、運転者や歩行者が通行できる状態であるにもかかわらず迂回路を通らせるなどの手間をかけさせることがなくなる。
【００７０】
以上、本発明の実施の形態に係る標示具１０およびこの標示具１０を用いた工事用看板１について述べたが、本発明は既述の実施形態に限定されるものではなく、本発明の技術思想に基づいて各種の変形および変更が可能である。
【００７１】
例えば、本実施の形態では、道路標識２０の外形状が三角形のもので説明したが、一般的に使用されている菱形、丸形など、どの形状のものであっても使用することができる。
また、道路標識２０の裏面側に、表面側とは上下逆に文字や図形を記載しておくようにしてもよい。これによれば、道路標識２０を下側に回動させたときに、この裏面側の文字や記号を運転者に標示することができる。例えば、看板本体２の標示を「通行止」にしておき、道路標識２０の裏面側に「通行可」と標示しておく。道路工事が終了したときに道路標識２０を下側に回動させておけば、「通行止」の標示を隠すとともに「通行可」の標示を見せることができる。なお、「通行可」の文字以外であって、例えば、「休工中」「規制解除」など、種々の文字を記載することができる。
【００７２】
また、本実施の形態では、ＬＥＤ５０を用いているが、小型の回転灯を取り付けるようにしてもよい。
【００７３】
さらに、本実施の形態では、ＬＥＤ５０のソーラー発電素子を上側に残すために、道路標識２０とベース部材４０とを個々に独立して上下に回動できるようにしているが、ＬＥＤ５０を蓄電池などで発光させる場合には、それぞれを一緒に回動させるようにしてもよい。例えば、ベース部材４０に道路標識２０を取り付けて、ベース部材４０を回動させることで、ＬＥＤ５０と道路標識２０を一緒に上下に回動させるようにすることができる。
【００７４】
また、工事現場等の状況によって、道路標識２０またはＬＥＤ５０のいずれか一方のみを看板本体２の上部に取り付けたいというニーズがある場合には、そのいずれか一方のみを水平軸部３２ｂに回動可能に取り付けるようにすればよい。道路標識２０とベース部材４０（ＬＥＤ５０）は、それぞれ独立して水平軸部３２ｂに取り付けられている構造であるため、その一方のみを残して他方を取り外すことは容易に行うことができる。
【００７５】
さらに、本実施の形態では、いわゆるＳＬ看板を看板本体２として説明しているが、これに限定されない。このＳＬ看板の幅寸法は約５５０ｍｍであるが、その他の看板として、８００ｍｍ幅の広幅のものや、ＳＬ看板の半分の２７５ｍｍ幅のものもある。これらのＳＬ看板以外の看板であっても、取付金具３０の幅寸法を合わせることによって取り付けることができ、同様の効果を得ることができる。
【００７６】
さらには、道路標識２０の裏面側に、道路標識２０を下側に回動させたときに下側に延ばして使用可能な目隠し部材（図示せず）を設けることもできる。この目隠し部材は、例えば、下側に引き延ばして使用するロールスクリーンのようなものである。このロールスクリーンを下側に引き延ばすことで、標示部２ａの下側まで完全に覆い隠すことができる。また、このロールスクリーンに文字や記号を記載して、例えば、「休工中」「規制解除」などの上述した種々の文字を標示することもできる。
【符号の説明】
【００７７】
１  工事用看板
２  看板本体
２ａ  標示部
２ｂ  外枠
１０  標示具
２０  道路標識
２１  標識ホルダー
２１ａ  取付部
２１ｂ  回動保持部
２２  穴部
２３  取付穴
２４  取付片
２５  取付ボルト
３０  取付金具
３１  取付脚
３２  道路標識回動軸
３２ａ  傾斜軸部
３２ｂ  水平軸部
４０  ベース部材
４１  本体部
４１Ａ、４１ｂ  肉盗み
４２  溝
４３  ＬＥＤ取付部
４３ａ  取付穴
４４  円弧状切欠き
４５  取付回動部
４５ａ  円弧状部
４５ｂ  手締めバンド取付穴
５０  ＬＥＤ
６０  ＬＥＤ取付部材
【図１】
2018028609.tif 000003
【図２】
2018028609.tif 000004
【図３】
2018028609.tif 000005
【図４】
2018028609.tif 000006
【図５】
2018028609.tif 000007
【図６】
2018028609.tif 000008
【図７】
2018028609.tif 000009
【図８】
2018028609.tif 000010
【図９】
2018028609.tif 000011
【図１０】
2018028609.tif 000012
【図１１】
2018028609.tif 000013
【図１２】
2018028609.tif 000014
【図１３】
2018028609.tif 000015
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
工事現場で使用される工事用看板の看板本体の上部に取り付けられる標示具であって、
前記看板本体の上部に取り付けられ、前記看板本体の幅方向に延びる道路標識回動軸を有する取付金具と、
前記道路標識回動軸を中心に、上側に立てられた位置と下側に下ろされた位置との間で、回動可能に取り付けられる道路標識と、
を備えたことを特徴とする標示具。
【請求項２】
前記道路標識回動軸を中心に上下に回動可能に取り付けられ、前記道路標識の左右両側に位置するようにＬＥＤが取り付けられるベース部材を備えたことを特徴とする請求項１に記載の標示具。
【請求項３】
前記道路標識および前記ベース部材が、前記道路標識回動軸に対してそれぞれ個々に回動可能に取り付けられていることを特徴とする請求項２に記載の標示具。
【請求項４】
前記道路標識回動軸は、前記取付金具を前記看板本体に取り付けた状態で、前記看板本体の標示部よりも手前側に位置する水平軸部を有し、この水平軸部に前記道路標識、或いは前記道路標識と前記ベース部材とを回動可能に取り付けたことを特徴とする請求項１から請求項３のいずれか１つに記載の標示具。
【請求項５】
前記道路標識の裏面側に表面側とは上下逆の文字や記号を記載して、前記道路標識を下側に回動させたときに標示させるようにしたことを特徴とする請求項１から請求項４のいずれか１つに記載の標示具。
【請求項６】
請求項１から請求項５のいずれか１つに記載の標示具を備えた工事用看板。
【請求項７】
工事現場で使用される工事用看板の看板本体の上部に取り付けられる標示具の標示方法であって、
前記看板本体の上部に取り付けられ、前記看板本体の幅方向に延びる道路標識回動軸を有する取付金具と、
前記道路標識回動軸を中心に、上側に立てられた位置と下側に下ろされた位置との間で、回動可能に取り付けられる道路標識と、
を備えた標示具が用いられ、
前記道路標識を上側に回動させたときに、前記看板本体の標示部を標示するとともに、前記道路標識の表面側を標示させ、
前記道路標識を下側に回動させたときに、前記看板本体の標示部を前記道路標識が覆うことで、前記看板本体の標示部および前記道路標識の表面側の標示のそれぞれを隠すようにしたことを特徴とする標示具の標示方法。
【請求項８】
前記道路標識の裏面側に文字や図形を記載して、前記道路標識を下側に回動させたときに、前記道路標識の裏面側の文字や図形を標示させることを特徴とする請求項７に記載の標示具の標示方法。
【手続補正２】
【補正対象書類名】明細書
【補正対象項目名】００１１
【補正方法】変更
【補正の内容】
【００１１】
上述課題を解決するため、本発明は、工事用看板の上部に取り付けられる標示具に関するものであり、前記工事用看板の看板本体の上部に取り付けられ、前記看板本体の幅方向に延びる道路標識回動軸を有する取付金具と、前記道路標識回動軸を中心に、上側に立てられた位置と下側に下ろされた位置との間で、回動可能に取り付けられる道路標識とを備えたことを特徴とする。
【手続補正３】
【補正対象書類名】明細書
【補正対象項目名】００１７
【補正方法】変更
【補正の内容】
【００１７】
さらに、本発明は、工事現場で使用される工事用看板の看板本体の上部に取り付けられる標示具の標示方法であって、前記看板本体の上部に取り付けられ、前記看板本体の幅方向に延びる道路標識回動軸を有する取付金具と、前記道路標識回動軸を中心に、上側に立てられた位置と下側に下ろされた位置との間で、回動可能に取り付けられる道路標識と、を備えた標示具が用いられ、前記道路標識を上側に回動させたときに、前記看板本体の標示部を標示するとともに、前記道路標識の表面側を標示させ、前記道路標識を下側に回動させたときに、前記看板本体の標示部を前記道路標識が覆うことで、前記看板本体の標示部および前記道路標識の表面側の標示のそれぞれを隠すようにしたことを特徴とする。
【手続補正４】
【補正対象書類名】明細書
【補正対象項目名】００１９
【補正方法】変更
【補正の内容】
【００１９】
本発明に係る標示具および工事用看板では、工事用看板の看板本体の上部に取り付けられ、看板本体の幅方向に延びる道路標識回動軸を有する取付金具と、前記道路標識回動軸を中心に、上側に立てられた位置と下側に下ろされた位置との間で、回動可能に取り付けられる道路標識とを備えているので、工事中には道路標識を上側に回動させておくことで、看板本体の標示部の文字と道路標識の両方を運転者等に見せることができる。さらに、工事終了後には道路標識を下側に回動させておくことで、工事用看板が受ける風圧等を低減することができる。そのため、従来の工事用看板よりも構造強度を高める必要がなく、既設の看板本体にも後付けで取り付けて使用することができる。